(57)【特許請求の範囲】
【請求項１】
振動方向から見た振動面が長手と短手を有し、該長手方向に連続した凹凸形状で形成された湾曲部と、前記長手方向の略中央部に該長手方向と直交して一体的に形成された突出部と、を有する振動板と、
内周部が前記振動板の外周部に接続された帯状のエッジと、
前記振動板の一面に取り付けられたボイスコイルボビンと、
該ボイスコイルボビンの外周面に巻回されたボイスコイルと、
該ボイスコイルに振動用の磁束を与える磁気回路構成部と、
該磁気回路構成部が固定されると共に、前記エッジの外周部を保持し該エッジを介して前記振動板を振動自在に支持するフレームと、を備え、
前記突出部は、
前記振動板の前記一面側に突出し底部と前記振動板の長手方向の両端部壁と前記振動板の短手方向の両端部壁とを有するよう形成されると共に、該短手方向の両端部壁の外形寸法が前記ボイスコイルボビンの前記長手方向の略中央部の内側寸法より小に形成されて成り、
前記突出部が前記ボイスコイルボビンの内部に挿入された状態で、前記突出部の前記短手方向の両端部壁と前記ボイスコイルボビンの内壁との間隙内に充填された接着剤により前記突出部と前記ボイスコイルボビンとが固着されて成る電気音響変換器。
【発明の詳細な説明】
【０００１】
【発明の属する技術分野】
本発明は、細幅（長）で、かつ音質の優れた電気音響変換器としてのスピーカに関するものである。
【０００２】
【従来の技術】
近年、ハイビジョンやワイドビジョン等の普及により、テレビの画面は横長ののものが一般的になりつつある。しかし一方では、我が国の住宅事情から、テレビセット全体として幅狭・薄型のものが望まれている。このことは、テレビに限らず、一般のオーディオコンポにも云えることである。
【０００３】
例えば、テレビ用のスピーカユニットは、通常ブラウン管の両脇に取り付けられるため、テレビセットの横幅を大きくする一因となっている。そのため、従来からテレビ用には角型や楕円型等の幅の狭いスピーカユニットが用いられてきた。ところが、ブラウン管の横長化により、スピーカユニットの幅はますます狭くすることが求められ、同時に画面の高画質化に対応した音声の高音質化が要求されている。
【０００４】
しかしながら、一般的な細幅構造のスピーカでは、細幅の振動板の中央部を一点で駆動することになるため、長軸方向の分割共振が励起されやすい。その結果中高音帯域では再生音圧周波数特性上にピークディップを生じ、音質の劣化を招いていた。
【０００５】
以下、上記した従来構成になる電気音響変換器について図１８〜図２３を参照して説明する。
【０００６】
図１８（ａ）は上記した従来構成になる電気音響変換器に用いられる振動板の平面図、図１８（ｂ）は、図１８（ａ）のＡ−Ａ線断面図、図１９は振動板等の分解斜視図、図２０は振動板の要部斜視図、図２１は図１８（ａ）のＢ−Ｂ線断面図である。
【０００７】
図１８〜図２１において、振動板３１の長手方向の略中央部で、且つ、長手方向に略直交する方向の各溝部３８内には、上方より補強部材４０が挿入配置されており、この補強部材４０で振動板３１が支持されている。補強部材４０の材質は、振動板３１を支持できるものであれば良く、金属、樹脂、木等で構成される。又、補強部材４０は細長いロッド状に構成され、その下面側には一定間隔ごとに切欠部４１が形成されている。ボイルコイル３３はこの各切欠部４１内を通ることによって各主振動部３１ａの基底部分に巻回される。
【０００８】
前記構成において、マグネット３５によってボイルコイル３３周囲に磁界が発生し、ボイルコイル３３に駆動電流が流れるとボイルコイル３３に駆動電流に応じた電磁力が作用し、この電磁力で主振動部３１ａを主体として振動板３１が振動する。この振動に際して振動板３１の長手方向の中央部である溝部３８付近は補強部材４０で支持されているため、振動板３１の長手方向の中央部付近での分割振動が防止される。
【０００９】
また、各主振動部３１ａの上面は、外側に突出する形状（凸状）の略半円筒面３９ａと内側に窪む形状（凹状）の略半円筒面３９ｂとが長手方向に交互に連続的に配置される形状となっているので、長手方向に直交する方向の力に対して機械的強度（剛性）が強いことから、互いの境界部分が揃って振動せずに、一方が他方よりも大きく又は小さく振動をし始めようとする際に、相補的にこの振動成分の発生が未然に防止されるものでもある。
【００１０】
図２２は、上記した電気音響変換器の振動板３１を自由振動モードで振動させた場合の振動状態を示す図である。図２２に示す自由振動モードにおいて、溝部３８の周辺での分割振動が抑制されていることからも、実際に、振動板３１の長手方向の中央部付近での分割振動が押さえられていることが実証できる。
【００１１】
図２３は、振動板３１の中央部における振幅の周波数応答特性の数値解析結果であり、実線Ａは上記した電気音響変換器の実施形態を、破線Ｂは他の従来例をそれぞれ示す。図２３に示すように、他の従来例では１３．５ｋＨｚ近傍以上の周波数での落ち込みがあるが、上記した電気音響変換器の実施形態では１０ｋＨｚ付近の高域のピークが押さえられると共に、１３．５ｋＨｚ近傍以上の周波数での落ち込みが改善されて１５ｋＨｚまで伸びていることがわかる。
【００１２】
【発明が解決しようとする課題】
しかしながら、上記構成の電気音響変換器においては、次のような問題点があった。すなわち、その点を図２４、図２５を参照して説明する。
【００１３】
図２４は、従来の電気音響変換器に用いられた、振動板とボイスコイル等の関係を示す断面図、図２５は、従来の電気音響変換器に用いられた、振動板とボイスコイル等の関係を示す中央溝部分における横断面図である。
【００１４】
前記した如く、振動板３１は、その長手方向の略中央部で、かつ、長手方向に直交する方向の各溝部３８内に補強部材４０を上方より挿入配置することにより、振動板３１の長手方向の中央部付近で、その分割振動を防止しているものである。しかるに、図２４より明らかな如く、溝部３８は、その深さ方向の寸法Ｈをかなり大なものとする必要がある。何故ならば、そのように構成していない場合、補強部材４０をそこに安定に保持することが出来ないからである。
【００１５】
一方で、溝部３８をこのように構成することは、他方で、新たな不具合を生じさせる。すなわち、製造工程上等の理由から、ボイスコイル３３が巻回されているボイスコイルボビン３４を、振動板３１の下方から挿入配置する場合、このボイスコイルボビン３４の上端３４ａが溝部３８の下端３８ａに当接してしまい、それを正規の位置に配置することが出来ないからである。
【００１６】
かかる点を考慮して、溝部３８の深さ方向の寸法を、ボイスコイルボビン３４の配置にとって障害とならない程度の深さとした場合には、振動板３１が中央付近で内側に窪んでしまうという前記した問題点を解決することはできない。
【００１７】
本発明は、かかる点に鑑みなされたものであり、振動板と、この振動板に接続されるボイスコイルボビンを新規な接続構成とすることにより、振動板の固有振動によって発生する長手方向の異常振動を抑制して、大入力に対しても異常のない音波放射の実現化を図った電気音響変換器を提供することをその目的とするものである。
【００１８】
【課題を解決するための手段】
上記の課題を解決するために、本願発明は次の手段を有する。
即ち、振動方向から見た振動面が長手と短手を有し、該長手方向に連続した凹凸形状で形成された湾曲部と、前記長手方向の略中央部に該長手方向と直交して一体的に形成された突出部と、を有する振動板と、内周部が前記振動板の外周部に接続された帯状のエッジと、前記振動板の一面に取り付けられたボイスコイルボビンと、該ボイスコイルボビンの外周面に巻回されたボイスコイルと、該ボイスコイルに振動用の磁束を与える磁気回路構成部と、該磁気回路構成部が固定されると共に、前記エッジの外周部を保持し該エッジを介して前記振動板を振動自在に支持するフレームと、を備え、前記突出部は、前記振動板の前記一面側に突出し底部と前記振動板の長手方向の両端部壁と前記振動板の短手方向の両端部壁とを有するよう形成されると共に、該短手方向の両端部壁の外形寸法が前記ボイスコイルボビンの前記長手方向の略中央部の内側寸法より小に形成されて成り、前記突出部が前記ボイスコイルボビンの内部に挿入された状態で、前記突出部の前記短手方向の両端部壁と前記ボイスコイルボビンの内壁との間隙内に充填された接着剤により前記突出部と前記ボイスコイルボビンとが固着されて成る電気音響変換器である。
【００１９】
【発明の実施の形態】
以下、本発明の好適な実施の形態を添付図面に基づいて説明する。なお、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２０】
まず、本発明になる電気音響変換器の具体的構成を説明する前に、細幅の電気音響変換器の基本的構成について、図８〜図１１を参照して説明する。
【００２１】
図８（ａ），（ｂ）は、それぞれ基本的構成になる細幅の電気音響変換器２０の正面図、及びＡ-Ａ線断面図である。図８（ａ），（ｂ）において、２１は、振動方向から見た振動面の平面形状が、長手と短手を有し、前記振動面は長手方向に凹凸状に連続した湾曲部を形成した形状を有する非軸対称形の振動板である。この振動板２１の外周部にはエッジ２２が接合され、フレーム２３に保持されている。
【００２２】
図９に示す如くのトラック型のボイスコイルボビン２４は、振動板２１の裏面に、例えば、接着剤によって固着されている。このボイスコイルボビン２４の外周面には、ボイスコイル２５が巻回されている。ボイスコイルボビン２４は、後述する磁気回路の磁気空隙Ｇに釣り下げられ、音声信号電流と磁束により駆動力を発生する。前記したフレーム２３は、箱状に形成され、その側面の一部は、エッジ２２方向に沿った形状としている。
【００２３】
フレーム２３の内側底面には、前記した後述する如くの磁気回路が取付けられている。磁気回路は、鉄製のヨーク２６、マグネット２７、ポールピース２８で構成され、図示しない治具によりフレーム２３の所定位置に固定されている。なお、マグネット２７、ポールピース２８は、振動板２１の主振動部に対応する位置に設けられているものである。
【００２４】
ここで、振動板２１の具体的構成につき説明する。この振動板２１は、前記した如く、振動方向から見た振動面の平面形状が、長手と短手を有し、前記振動面は長手方向に凹凸状に連続した湾曲部を形成した非軸対称形の形状を有するものである。すなわち、２９ａを凸状部とし、これと交互に連続して設けられている２９ｂを凹状部としたものである。なお、それぞれの凹状部までの深さ方向の寸法Ｄは、ほぼ同程度に形成されている。
【００２５】
また、２９ｃは、振動板２１の略中央部に設けられ、前記した凸状部２９ａ、凸状部２９ａと連設している凹状溝部である。また、凸状部２９ａ、凹状部２９ｂ、凹状溝部２９ｃからなる振動板２１は、ボイスコイル２５の発熱に耐え、かつ、振動板２１としての機械的特性に優れたポリイミド（ＰＩ）フィルムによって一体的に形成されている。
【００２６】
ところで、振動板２１はその厚みが大きい場合、それだけ重量が増し強力な磁気回路を構成する必要があるため、厚みは出来るだけ薄い方が好ましい。しかしながら、一般的に振動板２１は、その厚みを薄くした場合、強度が低下し、図１０に示すように中央付近で内側に窪んでしまうという現象が発生する。
【００２７】
この現象は、ボイスコイルボビン２４にも同様な方向に変形を生じさせ、その長手方向中央部が、振動板２１の変形によってポールピース２８に接触し、異常音の原因となったり、図１１に示すように、その中高音帯域での音圧周波数特性上に歪み（２次歪、３次歪等の高調波歪）を発生させる原因となっていた。そしてその変形は、２ボルト入力の時、ボイスコイルボビン２４の長手方向中央部の、長手方向に直角な方向に発生する変位は、０．５ｍｍに達してしまう場合がある。
【００２８】
そこで、かかる点に鑑み、細幅（長）構造でありながら分割共振が起こり難く、平坦な特性が得られるような構造の細幅の電気音響変換器が提案されている。
【００２９】
以下、上記した細幅の電気音響変換器の構成について図１２〜図１７を参照して説明する。
【００３０】
図１２は、上記した細幅の電気音響変換器の一例を示すもので、（ａ）は平面図、（ｂ）はＡ−Ａ線断面図、図１３は、図１２の電気音響変換器の主要部を構成する振動板の斜視図、図１４は、同、ボイスコイルが巻回されたボイスコイルボビンの斜視図、図１５は、振動板の長手方向中央部の横断面図、図１６は、ボイスコイルボビンとの接合後における振動板の長手方向中央部の横断面図、図１７は、上記した細幅の電気音響変換器の周波数特性図である。
【００３１】
まず、図１２、図１３を参照して、上記した細幅の電気音響変換器１０を構成する振動板１の具体的構成について説明する。
【００３２】
図１２（ａ），（ｂ）は、上記した細幅の電気音響変換器１０の正面図、及びＡ-Ａ線断面図、図１３は、図１２の電気音響変換器の主要部を構成する振動板の斜視図である。図１２（ａ），（ｂ）において、１は、振動方向から見た振動面の平面形状が、長手と短手を有し、前記振動面は長手方向に凹凸状に連続した湾曲部を形成した形状を有する非軸対称形の振動板である。この振動板１の外周部にはエッジ２が接合され、フレーム３に保持されている。
【００３３】
図１４に示す如くのトラック型のボイスコイルボビン４は、振動板１の裏面に固着されている。このボイスコイルボビン４の外周面には、ボイスコイル５が巻回されている。ボイスコイルボビン４は、後述する磁気回路の磁気空隙Ｇに釣り下げられ、音声信号電流と磁束により駆動力を発生する。前記したフレーム３は、箱状に形成され、その側面の一部は、エッジ２方向に沿った形状としている。
【００３４】
フレーム３の内側底面には、前記した後述する如くの磁気回路が取付けられている。磁気回路は、鉄製のヨーク６、マグネット７、ポールピース８で構成され、図示しない治具によりフレーム３の所定位置に固定されている。なお、マグネット７、ポールピース８は、振動板１の主振動部に対応する位置に設けられているものである。
【００３５】
ここで、振動板１の具体的構成につき説明する。この振動板１は、前記した如く、振動方向から見た振動面の平面形状が、長手と短手を有し、前記振動面は長手方向に凹凸状に連続した湾曲部を形成した非軸対称形の形状を有するものである。すなわち、１１ａ、１１ｂ，１１ｃ，１１ｄ，１１ｅ，１１ｆを凸状部とし、これと交互に連続して設けられている１２ａ，１２ｂ，１２ｃ，１２ｄを凹状部としたものである。なお、それぞれの凹状部までの深さ方向の寸法Ｄは、中央部を除き、ほぼ同程度に形成されている。
【００３６】
また、９は、前記した凹凸状に連続した湾曲部１１ａ〜１１ｆ、１２ａ〜１２ｄと連設した振動板１の略中央部に、振動面の長手方向と直交する如く一体的に設けられた溝部である。なお、この溝部９の深さ方向の寸法Ｆは、前記凹状部までの深さＤより大であって、凸状部の立ち上がり部である振動板１の肩部１４の寸法Ｃと略同程度に設定してある。なお、９ａは、この溝部９の底部の裏面である。
【００３７】
また、凸状部１１ａ〜１１ｆ、凹状部１２ａ〜１２ｄ、溝部９からなる振動板１は、ボイスコイル５の発熱に耐え、かつ、振動板１としての機械的特性に優れたポリイミド（ＰＩ）フィルムによって一体的に形成されている。
【００３８】
次に、振動板１の裏面に、例えば、接着剤によって固着されているボイスコイルボビン４の具体的構成について、図１４〜図１６を参照して説明する。図１４より明らかな如く、ボイスコイルボビン４は、振動板１の振動方向から見た振動面の平面形状が、長手と短手とを有する非軸対称形であって、かつ、ボイスコイルボビン４の一部は、振動板１の長径方向に関して、互いに平行な直線部分を有している。
【００３９】
また、ボイスコイルボビン４は、巻線を施すフォーム部分が、振動板１の長径（手）方向に沿って２分割４1、４2されており、分割部分が、短径（手）方向に関して平行になる如く接合することにより、補強部としての梁１３が構成されるものである。なお、この梁１３は、後記する如く振動板１の溝部９の底部の裏面９ａに当接されるものである。
【００４０】
また、１５は、ボイスコイルボビン４の外周面に巻回される補強紙として用いられるクラフト紙からなるバンドであり、これを巻回しない場合は、図２６に示す如く、ボイスコイルボビン４が変形してしまい、そのまま使用することができなくなるからである。かかる意味からいって、この補強紙は必須のものといえる。
【００４１】
なお、フォーム部分をクラフト紙で構成する場合は、次の点に注意する必要がある。すなわち、巻き線後にフォーム部分の残部（巻き線されていない部分）に張り合わされるバンドとしてのクラフト紙と、フォーム部分を構成するクラフト紙とは、パルプ繊維の並びが互いに直角方向となるように形成されている必要があるからである。何故ならば、仮にそのように形成されていない場合は、図２７に示される如く、ボイスコイルボビン４が変形してしまい、そのまま使用することができなくなるからである。
【００４２】
これは、パルプ繊維の並びが互いに直角方向となるように形成されていない場合は、クラフト紙の含水率に起因して、変形が生じてしまうものと思われるからである。
【００４３】
このように、巻線を施すフォーム部分が、振動板１の長径方向に沿って２分割されており、分割部分が、短径方向に関して平行になる如く接合することにより、補強部としての梁１３が構成されるようにしたボイスコイルボビン４は、前記した如く溝部９の深さ方向の寸法Ｆが、前記凹状部までの深さＤより大であって、凸状部の立ち上がり部である振動板１の肩部１４の寸法Ｃと略同程度に設定されているので、これを振動板１の下方より挿入配置する場合にも、図１２（ｂ）、図１５、図１６に明示されている如くの正規の位置である、溝部９の底部の裏面９ａに梁１３が当接した状態で固定することが出来るものである。
【００４４】
次に、このように構成した電気音響変換器１０の動作について説明する。
前記構成において、マグネット７によってボイルコイルボビン４周囲に磁界が発生し、このボイルコイルボビン４に巻回されたボイルコイル５に駆動電流が流れると、前記したボイルコイルボビン４に駆動電流に応じた電磁力が作用し、この電磁力で主振動部１ａを主体として振動板１が振動する。この振動に際して振動板１の長手方向の中央部である溝部９付近は、溝部９の底部の裏面９ａに補強部としての梁１３が当接しこの溝部９を支持しているため、振動板１の長手方向の中央部付近で内側にくぼむ現象は発生せず、すなわち、分割振動が防止されるものである。
【００４５】
又、振動板１の上面は外側（音を放射する方向）に突出する形状の略半円筒面１１ａ等と、これと連続しており、内側にくぼむ形状の略半円筒面１２ａ等とが長手方向に交互に連続して一体的に配置される形状となっているので、相補的にこの部分における振動成分の発生が未然に防止される。
【００４６】
図１７は、上記した細幅の電気音響変換器１０における音圧周波数特性と高調波歪みの周波数特性図である。この図１７より明らかな如く、振動板１中央部のくぼみ振動に起因して５００Ｈｚ〜１ｋＨｚに発生していた２次、３次高調波が大きく減少しているのことが実証されている。上記した細幅の電気音響変換器１０に、２ボルトの入力を加えた場合、ボイスコイルボビン４の長手方向中央部の、長手方向に直角な方向に発生する変位は、従来の０．５ｍｍから０．０６ｍｍに減少した。
【００４７】
上記した如く、かかる構成によれば、前記した如くの基本的構成を有する細幅の電気音響変換器の問題点は解消されるものではあるが、補強部の位置や、角度などが保証されにくく、部品の製造が複雑になる等の問題があり、性能安定性の点、コストの点等に改良の余地が残されていた。
【００４８】
そこで本発明は、かかる点を更に改良するためになされたものであり、振動板と、この振動板に接続されるボイスコイルボビンを新規な接続構造とすることにより、振動板の固有振動によって発生する長手方向の異常振動を更に抑制して、大入力に対しても異常のない音波放射の実現化を図ると共に性能が安定し、かつ、コストダウンが図れた電気音響変換器を提供するものである。
【００４９】
（実施例）
図１は、本実施例になる電気音響変換器の好ましい一実施例を示すもので、（ａ）は平面図、（ｂ）はＡ−Ａ線断面図、図２は、図１の電気音響変換器の主要部を構成する振動板の斜視図、図３は、同、ボイスコイルが巻回されたボイスコイルボビンの斜視図、図４は、振動板の長手方向中央部の横断面図、図５は、ボイスコイルボビンとの接合後における振動板の長手方向中央部の横断面図、図６は、本実施例になる電気音響変換器の周波数特性図である。本実施例の基本的構成は、前記した細幅の電気音響変換器２０と同様構成であるが、念のため説明する。
【００５０】
まず、図１、図２を参照して、本実施例になる電気音響変換器５０を構成する振動板１の具体的構成について説明する。
【００５１】
図１（ａ），（ｂ）は、本実施例になる細幅の電気音響変換器５０の正面図、及びＡ-Ａ線断面図、図２は、図１の電気音響変換器の主要部を構成する振動板の斜視図である。図１（ａ），（ｂ）において、１は、振動方向から見た振動面の平面形状が、長手と短手を有し、前記振動面は前記長手方向に凹凸状に連続した湾曲部を形成した形状を有する非軸対称形の振動板である。この振動板１の外周部にはエッジ２が接合され、フレーム３に保持されている。
【００５２】
図３に示す如くのトラック型のボイスコイルボビン４は、振動板１の裏面に、例えば、接着剤によって固着されている。このボイスコイルボビン４の外周面には、ボイスコイル５が巻回されている。ボイスコイルボビン４は、後述する磁気回路の磁気空隙Ｇに釣り下げられ、音声信号電流と磁束により駆動力を発生する。前記したフレーム３は、箱状に形成され、その側面の一部は、エッジ２方向に沿った形状としている。
【００５３】
フレーム３の内側底面には、前記した後述する如くの磁気回路が取付けられている。磁気回路は、鉄製のヨーク６、マグネット７、ポールピース８で構成され、図示しない治具によりフレーム３の所定位置に固定されている。なお、マグネット７、ポールピース８は、振動板１の主振動部に対応する位置に設けられているものである。
【００５４】
ここで、振動板１の具体的構成につき説明する。この振動板１は、前記した如く、振動方向から見た振動面の平面形状が、長手と短手を有し、前記振動面は前記長手方向に凹凸状に連続した湾曲部を形成した非軸対称形の形状を有するものである。すなわち、１１ａ、１１ｂ，１１ｃ，１１ｄ，１１ｅ，１１ｆを凸状部とし、これと交互に連続して設けられている１２ａ，１２ｂ，１２ｃ，１２ｄを凹状部としたものである。なお、それぞれの凹状部までの深さ方向の寸法Ｄは、中央部を除き、ほぼ同程度に形成されている。
【００５５】
また、９は、前記した凹凸状に連続した湾曲部１１ａ〜１１ｆ、１２ａ〜１２ｄと連設し長手方向の略中央部に、振動面の長手方向と直交する如く一体的に設けられた溝部である。なお、この溝部９は、ボイスコイルボビン４側に比較的大きく延在して形成された底部９ａと、長径方向の両端部と短径方向の両端部に壁を有し、振動板１の裏面方向に突出部９1を形成しているものである。そして、この突出部９1の短径方向の外側寸法は、ボイスコイルボビン４の長手方向（長径方向）略中央部の内径寸法（短径方向の寸法）よりも若干小に形成してある。
【００５６】
また、凸状部１１ａ〜１１ｆ、凹状部１２ａ〜１２ｄ、溝部９からなる振動板１は、ボイスコイル５の発熱に耐え、かつ、振動板１としての機械的特性に優れたポリイミド（ＰＩ）フィルムによって一体的に構成されている。
【００５７】
次に、振動板１の裏面に、例えば、接着剤によって固着されているトラック型のボイスコイルボビン４の具体的構成について、図３〜図５を参照して説明する。図３より明らかな如く、ボイスコイルボビン４は、振動板１の振動方向から見た平面形状が、長手と短手とを有する非軸対称形であって、かつ、ボイスコイルボビン４の一部は、振動板１の長径方向に関して、互いに平行な直線部分を有している。
【００５８】
５は、このボイスコイルボビン４に巻回されているボイスコイルである。なお、図示はしていないが、ボイスコイルボビン４の外周面には、補強紙として用いられるクラフト紙からなるバンドが巻回されている。このバンドを巻回しない場合は、前記した図２６に示す如く、ボイスコイルボビン４が変形してしまい、そのまま使用することができなくなるからである。かかる意味からいって、この補強紙は必須のものといえる。
【００５９】
なお、フォーム部分をクラフト紙で構成する場合は、次の点に注意する必要がある。すなわち、巻き線後にフォーム部分の残部（巻き線されていない部分）に張り合わされるバンドとしてのクラフト紙と、フォーム部分を構成するクラフト紙とは、パルプ繊維の並びが互いに直角方向となるように形成されている必要があるからである。何故ならば、仮にそのように形成されていない場合は、図２７に示される如く、ボイスコイルボビン４が変形してしまい、そのまま使用することができなくなるからである。
【００６０】
これは、パルプ繊維の並びが互いに直角方向となるように形成されていない場合は、クラフト紙の含水率に起因して、変形が生じてしまうものと思われるからである。
【００６１】
前記したように、振動板１の裏面で、ボイスコイルボビン４側に比較的大きく突出延在した突出部９1は、短径方向の外側寸法を、ボイスコイルボビン４の長手方向（長径方向）略中央部の内径寸法（短径方向の寸法）よりも若干小に形成してあるので、振動板１の裏面にボイスコイルボビン４を取付ける場合、この突出部９1は、ボイスコイルボビン４の内部に容易に挿入することができる。この時、図５より明らかな如く、突出部９1の下端部（溝部９の底部９ａ）は、前記した如くに形成されているので、ボイスコイルボビン４の深さ方向の中間部まで達することになる。そして、突出部９1の短径方向の両端部とボイスコイルボビン４の内壁が接着剤を充填するによって接着されるものである。従って、固定に際しては、比較的簡単な作業によって行うことができ、しかも接着面積が大きいので、しっかりと固定することができる。
【００６２】
次に、このように構成した電気音響変換器５０の動作について説明する。
前記構成において、マグネット７によってボイルコイルボビン４周囲に磁界が発生し、このボイルコイルボビン４に巻回されたボイルコイル５に駆動電流が流れると、前記したボイルコイルボビン４に駆動電流に応じた電磁力が作用し、この電磁力で主振動部１ａを主体として振動板１が振動する。この振動に際しては、ボイスコイルボビン４の長手方向（長径方向）略中央部の内径寸法（短径方向の寸法）は、突出部９1の短径方向の外側寸法より若干大に形成してあるので、突出部９1をボイスコイルボビン４に挿入後、この突出部９1の短径方向の両端部とボイスコイルボビン４の内壁に接着剤を充填するによって両者は比較的簡単に接着することができる。また、突出部９1を上記した如くに形成してあるので、接着面積が大になり、従って、両者は強固に固着されるので、振動板１の長手方向の中央部付近で内側にくぼむ現象は発生せず、すなわち、分割振動が防止されるものである。
【００６３】
又、振動板１の上面は外側（音を放射する方向）に突出する形状の略半円筒面１１ａ等と、これと連続しており、内側にくぼむ形状の略半円筒面１２ａ等とが長手方向に交互に連続して一体的に配置される形状となっているので、相補的にこの部分の振動成分の発生が未然に防止される。
【００６４】
図６は、本実施例になる電気音響変換器５０において、振動板１の突出部９1とボイスコイルボビン４の内壁との間隙内に接着剤を充填した場合の音圧周波数特性と高調波歪みの周波数特性図、図７は、振動板１の突出部９1とボイスコイルボビン４の内壁との間隙内に接着剤を充填しない場合の音圧周波数特性と高調波歪みの周波数特性図である。この両図より明らかな如く、振動板１の突出部９1とボイスコイルボビン４の内壁との間隙内に接着剤を充填した本実施例の場合は、振動板１中央部のくぼみ振動に起因して５００Ｈｚ〜１ｋＨｚに発生していた２次、３次高調波が大きく減少していることが実証されていて、本実施例の優位性が一見してわかるものである。
【００６５】
本実施例になる電気音響変換器５０に、２ボルトの入力を加えた場合、ボイスコイルボビン４の長手方向中央部の、長手方向に直角な方向に発生する変位、すなわち、振動板１の略中央部に発生する振動の、振動板長手方向に直角な振幅(変位)は、従来の０．５ｍｍから０．０６ｍｍに減少した。
【００６６】
【発明の効果】
以上説明したように、本発明によれば、振動板中央部のくぼみ振動が防止され、歪みのない音波再生が実現できるという効果がある。
【図面の簡単な説明】
【図１】本発明に係る電気音響変換器の一実施例を示す説明図である。
【図２】図１の電気音響変換器の主要部を構成する振動板の斜視図である。
【図３】図１の電気音響変換器の主要部を構成するボイスコイルが巻回されたボイスコイルボビンの斜視図である。
【図４】振動板の長手方向中央部の横断面図である。
【図５】ボイスコイルボビンとの接合後における振動板の長手方向中央部の横断面図である。
【図６】本発明になる電気音響変換器の周波数特性図である。
【図７】接着剤を用いない場合の電気音響変換器の周波数特性図である。
【図８】細幅の電気音響変換器の基本的構成を示す説明図である。
【図９】図８の細幅の電気音響変換器の主要部を構成するボイスコイルが巻回されたボイスコイルボビンの斜視図である。
【図１０】図８の細幅の電気音響変換器に用いられた振動板中央部のくぼみ振動の説明図である。
【図１１】図８の細幅の電気音響変換器の周波数特性図である
【図１２】図８を改良した細幅の電気音響変換器の構成を示す説明図である。
【図１３】図１２の細幅の電気音響変換器の主要部を構成する振動板の斜視図である。
【図１４】図１２の細幅の電気音響変換器の主要部を構成するボイスコイルが巻回されたボイスコイルボビンの斜視図である。
【図１５】図１２における振動板の長手方向中央部の横断面図である。
【図１６】図１２におけるボイスコイルボビンとの接合後における振動板の長手方向中央部の横断面図である。
【図１７】図１２の細幅の電気音響変換器の周波数特性図である。
【図１８】従来の電気音響変換器に用いられた振動板の説明図である。
【図１９】従来の電気音響変換器に用いられた振動板等の分解斜視図である。
【図２０】従来の電気音響変換器に用いられた振動板の要部斜視図である。
【図２１】従来の電気音響変換器に用いられた振動板の一部線断面図である。
【図２２】従来の電気音響変換器の振動板を自由振動モードで振動させた場合の振動状態を示す図である。
【図２３】従来の電気音響変換器に用いられた、振動板の中央における振幅の周波数応答特性の数値解析結果を示す説明図である。
【図２４】従来の電気音響変換器に用いられた、振動板とボイスコイル等の関係を示す断面図である。
【図２５】従来の電気音響変換器に用いられた、振動板とボイスコイル等の関係を示す中央溝部分における横断面図である。
【図２６】ボイスコイルボビンが変形した具体例を示す斜視図である。
【図２７】ボイスコイルボビンが変形した他の具体例を示す斜視図である。
【符号の説明】
１    振動板
２    エッジ
３    フレーム
４    ボイスコイルボビン
５    ボイスコイル
６    ヨーク
７    マグネット
８    ポールピース
９    溝部
９1  突出部
１１    凸状部
１２    凹状部
１６    接着剤
１０、２０、５０    電気音響変換器
【図１】
0003767441.tif 000002
【図２】
0003767441.tif 000003
【図３】
0003767441.tif 000004
【図４】
0003767441.tif 000005
【図５】
0003767441.tif 000006
【図６】
0003767441.tif 000007
【図７】
0003767441.tif 000008
【図８】
0003767441.tif 000009
【図９】
0003767441.tif 000010
【図１０】
0003767441.tif 000011
【図１１】
0003767441.tif 000012
【図１２】
0003767441.tif 000013
【図１３】
0003767441.tif 000014
【図１４】
0003767441.tif 000015
【図１５】
0003767441.tif 000016
【図１６】
0003767441.tif 000017
【図１７】
0003767441.tif 000018
【図１８】
0003767441.tif 000019
【図１９】
0003767441.tif 000020
【図２０】
0003767441.tif 000021
【図２１】
0003767441.tif 000022
【図２２】
0003767441.tif 000023
【図２３】
0003767441.tif 000024
【図２４】
0003767441.tif 000025
【図２５】
0003767441.tif 000026
【図２６】
0003767441.tif 000027
【図２７】
0003767441.tif 000028